(57)【要約】【課題】本発明は点灯装置および照明器具に関し、安価に製造できる点灯装置および照明器具を得ることを目的とする。【解決手段】本発明に係る点灯装置は、光源を点灯させる点灯回路と、制御回路と、を有する電源装置と、外部機器との無線通信により生じる電磁波または電磁誘導により電力を供給され、該外部機器からデータを受信する受信回路と、を備え、該制御回路には該データが書き込まれ、該制御回路は、該データに基づき該点灯回路を制御する。【選択図】図１
2020155257.tif 000002
【特許請求の範囲】
【請求項１】
光源を点灯させる点灯回路と、制御回路と、を有する電源装置と、
外部機器との無線通信により生じる電磁波または電磁誘導により電力を供給され、前記外部機器からデータを受信する受信回路と、
を備え、
前記制御回路には前記データが書き込まれ、
前記制御回路は、前記データに基づき前記点灯回路を制御することを特徴とする点灯装置。
【請求項２】
前記受信回路は、前記データで前記制御回路が記憶するプログラムを書き換え、
前記制御回路は、前記プログラムに基づき前記点灯回路を制御することを特徴とする請求項１に記載の点灯装置。
【請求項３】
前記データは、前記プログラムのうち前記光源の調光値を指定する一部に該当することを特徴とする請求項２に記載の点灯装置。
【請求項４】
前記データは、１０ｋｂｙｔｅ以下であることを特徴とする請求項３に記載の点灯装置。
【請求項５】
前記受信回路は、前記無線通信により生じる前記電力で前記外部機器から前記データを受信し、前記電源装置から電力を供給されて前記データを前記制御回路に書き込むことを特徴とする請求項１から４の何れか１項に記載の点灯装置。
【請求項６】
前記受信回路は、前記電源装置に電力が供給されていない状態で前記外部機器から前記データを受信することを特徴とする請求項１から５の何れか１項に記載の点灯装置。
【請求項７】
前記受信回路は、前記外部機器から前記データを受信すると前記データを記憶し、前記電源装置に電力が供給されているときに、記憶した前記データを前記制御回路に書き込むことを特徴とする請求項６に記載の点灯装置。
【請求項８】
前記無線通信はＮＦＣであることを特徴とする請求項１から７の何れか１項に記載の点灯装置。
【請求項９】
前記無線通信はＲＦＩＤであることを特徴とする請求項１から７の何れか１項に記載の点灯装置。
【請求項１０】
前記外部機器を前記受信回路にかざすことで、前記外部機器から前記受信回路に前記データが送信されることを特徴とする請求項１から９の何れか１項に記載の点灯装置。
【請求項１１】
前記外部機器と前記受信回路との間で前記無線通信が実施されている状態で、前記受信回路と前記外部機器は非金属の部材に隔てられることを特徴とする請求項１から１０の何れか１項に記載の点灯装置。
【請求項１２】
前記光源と、
請求項１から１１の何れか１項に記載の点灯装置と、
を備えることを特徴とする照明器具。
【請求項１３】
前記光源は、第１光源と、前記第１光源と色温度が異なる第２光源とを含み、
前記制御回路は、前記データに基づき前記第１光源と前記第２光源の点灯状態をそれぞれ制御することを特徴とする請求項１２に記載の照明器具。
【請求項１４】
前記光源は、第１光源と、前記第１光源よりも外側に設けられた第２光源とを含み、
前記制御回路は、前記データに基づき前記第１光源と前記第２光源の点灯状態をそれぞれ制御することを特徴とする請求項１２に記載の照明器具。
【請求項１５】
前記点灯装置は、前記受信回路を覆う部分が非金属で形成された筐体に収納されることを特徴とする請求項１２から１４の何れか１項に記載の照明器具。
【請求項１６】
前記無線通信は、前記照明器具が設置された状態で実施されることを特徴とする請求項１２から１５の何れか１項に記載の照明器具。
【発明の詳細な説明】
【技術分野】
【０００１】
本発明は、点灯装置および照明器具に関する。
【背景技術】
【０００２】
特許文献１には、調光設定を受け取るためのインターフェースと、調光設定を記憶するためのメモリとを有する照明制御モジュールが開示されている。この照明制御モジュールでは、調光設定に基づいて、出力回路が照明ドライバ回路の調光インターフェースへの印加のための調光制御信号を生成する。
【先行技術文献】
【特許文献】
【０００３】
【特許文献１】特表２０１８−５１８００７号公報
【発明の概要】
【発明が解決しようとする課題】
【０００４】
特許文献１のような照明制御モジュールにおいて、調光制御信号として例えばアナログのＰＷＭ信号を点灯装置に送信して点灯装置の出力を制御することが考えられる。この場合、点灯装置は、例えば調光制御信号を受信、変換および解析する必要がある。このとき、点灯装置で複雑な制御を行うために、点灯装置および点灯装置を備える照明器具が高額となるおそれがある。
【０００５】
本発明は、上述の課題を解決するためになされたもので、安価に製造できる点灯装置および照明器具を得ることを目的とする。
【課題を解決するための手段】
【０００６】
本発明に係る点灯装置は、光源を点灯させる点灯回路と、制御回路と、を有する電源装置と、外部機器との無線通信により生じる電磁波または電磁誘導により電力を供給され、該外部機器からデータを受信する受信回路と、を備え、該制御回路には該データが書き込まれ、該制御回路は、該データに基づき該点灯回路を制御する。
【発明の効果】
【０００７】
本発明に係る点灯装置では、制御回路のプログラムが直接書き換えられる。このため、点灯装置で調光制御信号の受信、変換または解析をする必要がなく、点灯装置を安価に製造できる。
【図面の簡単な説明】
【０００８】
【図１】実施の形態１に係る照明器具の斜視図である。
【図２】実施の形態１に係る照明器具の回路ブロック図である。
【図３】実施の形態１に係る受信回路の平面図である。
【図４】実施の形態１に係る受信回路の構成を示す図である。
【図５】実施の形態２に係る照明器具の回路ブロック図である。
【図６】実施の形態３に係る照明器具の斜視図である。
【図７】実施の形態３に係る光源部の平面図である。
【発明を実施するための形態】
【０００９】
本発明の実施の形態に係る点灯装置および照明器具について図面を参照して説明する。同じ又は対応する構成要素には同じ符号を付し、説明の繰り返しを省略する場合がある。
【００１０】
実施の形態１．
図１は、実施の形態１に係る照明器具１の斜視図である。照明器具１は、筒状の筐体２１０と、筐体の一端に取り付けられた光源部２００を備える。筐体の内部には、後述する電源装置２２０および受信回路１００が収納されている。照明器具１は被取付部２に取り付けられる。被取付部２は例えば天井である。
【００１１】
本実施の形態では、外部機器３００を筐体２１０の外側から受信回路１００にかざすことで、外部機器３００から受信回路１００にデータが送信される。外部機器３００は、例えばスマートフォンまたはタブレット等の情報通信端末である。外部機器３００と受信回路１００との間の無線通信は、照明器具１が被取付部２に設置された状態で実施される。
【００１２】
図２は、実施の形態１に係る照明器具１の回路ブロック図である。照明器具１は、負荷回路部４０および点灯装置４００を備える。
【００１３】
点灯装置４００の入力側には、外部電源ＡＣが接続されている。点灯装置４００は、外部電源ＡＣから電力を供給され、光源４１〜４４を点灯させる。外部電源ＡＣは、例えば商用電源等の交流電源である。なお、点灯装置４００は、直流電源に接続されていてもよい。この場合、後述する整流回路および高調波抑制回路２０は不要となる。
【００１４】
点灯装置４００の出力側には、負荷回路部４０が接続される。負荷回路部４０は複数の光源４１〜４４を有する。光源４１〜４４は、例えばＬＥＤ等の発光素子である。負荷回路部４０では、光源４１〜４４によりＬＥＤランプまたはＬＥＤモジュールが構成される。光源部２００は負荷回路部４０を含む。負荷回路部４０において、複数の光源４１〜４４は直列に接続されている。これに限らず、複数の光源４１〜４４は、並列または直並列に接続されても良い。また、負荷回路部４０は光源４１〜４４を１つ以上有すれば良い。
【００１５】
一般に、光源４１〜４４として発光ダイオード等の半導体光源を用いた照明器具１は、蛍光灯、放電灯または白熱電球と比較して、高い変換効率及び光学効率が得られる。従って、照明器具１の消費エネルギーを低減できる。また、半導体光源では、一般に蛍光灯、放電灯または白熱電球よりも調光を容易に行うことができる。従って、きめ細かな明るさのコントロールを実現できる。
【００１６】
点灯装置４００は、入力フィルタ整流回路１０、高調波抑制回路２０、電流調整回路３０、制御回路５０および受信回路１００を備える。高調波抑制回路２０と電流調整回路３０は点灯回路２５を構成する。また、入力フィルタ整流回路１０、高調波抑制回路２０、電流調整回路３０および制御回路５０は電源装置２２０を構成する。
【００１７】
入力フィルタ整流回路１０は、外部電源ＡＣに接続された入力フィルタ回路１１と、入力フィルタ回路１１の出力側に接続された整流回路を備える。入力フィルタ回路１１は、図示しないインダクタおよびコンデンサから構成される。入力フィルタ回路１１はノイズの除去を行う。整流回路はダイオード１２〜１５で構成される。整流回路は交流電圧を全波整流する。
【００１８】
高調波抑制回路２０は、昇圧チョッパ方式の力率改善回路である。高調波抑制回路２０は整流回路の出力に接続される。高調波抑制回路２０は、整流回路で整流された脈流電圧を昇圧し、平滑コンデンサ２３に予め定められた直流高電圧を充電する。高調波抑制回路２０は、入力電流が正弦波になるようにスイッチングを行い、チョッパ出力電圧を一定に制御する。
【００１９】
高調波抑制回路２０はインダクタ２１を備える。インダクタ２１の一端は、整流回路の出力の高電位側と接続される。インダクタ２１の他端には、スイッチング素子２４のドレインおよびダイオード２２のアノードが接続される。
【００２０】
スイッチング素子２４は例えばＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。スイッチング素子２４のソースは平滑コンデンサ２３の負極に接続される。スイッチング素子２４のゲートは制御回路５０の駆動回路５２に接続される。ダイオード２２のカソードは、平滑コンデンサ２３の正極に接続される。平滑コンデンサ２３の負極は、整流回路の出力の低電位側に接続される。
【００２１】
制御回路５０は、マイクロコンピュータ５１と駆動回路５２とを備える。マイクロコンピュータ５１は、処理装置５１ａとメモリ５１ｂを有する。処理装置５１ａはメモリ５１ｂに記憶されたプログラムに従って、スイッチング素子２４をオンオフする。
【００２２】
ここで、一般にマイクロコンピュータ５１の出力電圧はＭＯＳＦＥＴの駆動電圧よりも小さい。このため、マイクロコンピュータ５１からのスイッチング信号は駆動回路５２に入力される。駆動回路５２はスイッチング信号に応じて、スイッチング素子２４をオンオフする。これにより、安定なスイッチングを実現できる。
【００２３】
平滑コンデンサ２３には電流調整回路３０が接続される。電流調整回路３０は、負荷回路部４０に直流電流を流す回路である。電流調整回路３０は、平滑コンデンサ２３から電力を供給されて光源４１〜４４を点灯させる。電流調整回路３０は、例えばバックコンバータ方式であり、定電流制御される。
【００２４】
電流調整回路３０において、平滑コンデンサ２３の正極には、スイッチング素子３１のドレインが接続される。スイッチング素子３１は、例えばＭＯＳＦＥＴである。スイッチング素子３１のソースには、ダイオード３４のカソードおよびインダクタ３２の一端が接続される。スイッチング素子３１のゲートは、駆動回路５２に接続される。
【００２５】
ダイオード３４のアノードには、平滑コンデンサ２３の負極および電流検出抵抗３５の一端が接続される。インダクタ３２の他端には、コンデンサ３３の正極が接続される。コンデンサ３３の負極には電流検出抵抗３５の他端が接続される。コンデンサ３３と並列に負荷回路部４０が接続される。電流調整回路３０の出力電圧は、コンデンサ３３で平滑され、負荷回路部４０に供給される。
【００２６】
電流検出抵抗３５に印加される電圧は、負荷回路部４０を流れる電流に対応する。ＬＥＤに流れる電流は、電流検出抵抗３５にて電圧に変換され、マイクロコンピュータ５１に入力される。マイクロコンピュータ５１は、電流検出抵抗３５に印加される電圧を検出する。
【００２７】
メモリ５１ｂには電流調整回路３０を制御するプログラムが記憶されている。処理装置５１ａは、電流検出抵抗３５に印加される電圧とプログラム上の設定値とを比較して、両者が一致するようにスイッチング素子３１をオンオフする。このように、本実施の形態では、点灯回路２５の出力電流はマイクロコンピュータのプログラムで決定される。スイッチング素子２４と同様に、マイクロコンピュータ５１は駆動回路５２を介して、スイッチング素子３１をオンオフする。これにより、光源４１〜４４は定電流制御で点灯する。
【００２８】
次に、制御回路５０について詳細に説明する。制御回路５０は、マイクロコンピュータ５１、駆動回路５２および制御電源回路５３を備える。マイクロコンピュータ５１はマイコンとも呼ばれる。マイクロコンピュータ５１は駆動回路５２を介して高調波抑制回路２０および電流調整回路３０の動作を制御する。
【００２９】
駆動回路５２は、マイクロコンピュータ５１から入力されるパルス信号に同期して、スイッチング素子２４、３１を駆動する。駆動回路５２は、スイッチング素子２４、３１をそれぞれ独立して駆動する。
【００３０】
制御電源回路５３は、入力フィルタ整流回路１０で整流された直流電圧から、降圧チョッパ、ドロッパー等の構成を用いて定電圧を生成する。この定電圧は、マイクロコンピュータ５１、駆動回路５２および受信回路１００に供給される。
【００３１】
次に、受信回路１００について説明する。図３は、実施の形態１に係る受信回路１００の平面図である。受信回路１００はパッケージ１１３、アンテナ１１１およびケーブル１１２を備える。パッケージ１１３には、後述するＮＦＣ＿ＩＣ１１０が収納される。ケーブル１１２により、受信回路１００は電源装置２２０から電力の供給を受ける。また、受信回路１００は、ケーブル１１２を介して制御回路５０と通信する。
【００３２】
無線通信素子であるアンテナ１１１は受信回路１００と外部機器３００との間の無線通信に用いられる。受信回路１００と外部機器３００との間の無線通信はＮＦＣ（Ｎｅａｒ  Ｆｉｅｌｄ  Ｃｏｍｍｕｎｉｃａｔｉｏｎ）である。ＮＦＣでは、例えば１３．５６ＭＨｚの周波数を利用する。また、通信距離は１０ｃｍ程度である。また、無線通信の処理は、暗号処理を含めて約０．１秒以内で終了する。本実施の形態では、外部機器３００を受信回路１００に近づけることで、非接触で通信を行うことができる。
【００３３】
ＮＦＣ＿ＩＣ１１０は例えばダイナミックタグとも呼ばれる。ダイナミックタグを用いることで、アンテナ１１１で受信したデータをＩ２Ｃ（Ｉｎｔｅｒ−Ｉｎｔｅｇｒａｔｅｄ  Ｃｉｒｃｕｉｔ）出力で外部マイコンに書き込むことができる。
【００３４】
図４は、実施の形態１に係る受信回路１００の構成を示す図である。受信回路１００は、アンテナ１１１とＮＦＣ＿ＩＣ１１０とを備える。ＮＦＣ＿ＩＣ１１０として、例えばＳＴＭｉｃｒｏｅｌｅｃｔｒｏｎｉｃｓ（登録商標）製ＳＴ２５ＤＶシリーズを用いることができる。ＮＦＣ＿ＩＣ１１０は、電源生成回路１１０ａ、デジタル出力回路１１０ｂ、メモリ１１０ｃおよび図示しないバッファを備える。メモリ１１０ｃは例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）である。
【００３５】
外部機器３００を受信回路１００にかざすと、外部機器３００と受信回路１００との間には磁界による誘導電流が発生する。受信回路１００は、外部機器３００とアンテナ１１１との無線通信により生じる電磁波または電磁誘導により電力を供給されて、アンテナ１１１で外部機器３００からデータを受信する。また、受信回路１００は、外部機器３００からデータを受信すると、無線通信により生じる電力を用いて受信したデータをメモリ１１０ｃに記憶する。
【００３６】
電源生成回路１１０ａは、無線通信により生じる電力からデータの受信およびメモリ１１０ｃへの書き込みを行うための電源を生成する。
【００３７】
以上から、受信回路１００は、電源装置２２０の通電、非通電に関わらず、無線通信で使用される電磁波又は電波のエネルギーを利用して、データを受信し、データをメモリ１１０ｃに格納する。受信回路１００は、電源装置２２０に電力が供給されていない状態においても、外部機器３００からデータを受信できる。このため、使用者は電源装置２２０の通電、非通電を考慮せずにデータの転送を実施できる。従って、照明器具１の操作性を向上できる。
【００３８】
また、受信回路１００は、電源装置２２０から電力を供給されてメモリ１１０ｃに格納したデータを制御回路５０に書き込む。電源装置２２０に外部電源ＡＣから電力が供給されているとき、制御電源回路５３は定電圧を生成する。この定電圧はデジタル出力回路１１０ｂに供給される。
【００３９】
マイクロコンピュータ５１は書き込み端子５１ｃを有する。デジタル出力回路１１０ｂは書き込み端子５１ｃと接続される。デジタル出力回路１１０ｂは、メモリ１１０ｃに記憶されたデータを、書き込み端子５１ｃを介してマイクロコンピュータ５１に出力する。データは、Ｉ２Ｃ通信でマイクロコンピュータ５１に書込まれる。これに限らず、データが制御回路５０に書き込まれれば、他の方法が用いられても良い。
【００４０】
以上から、受信回路１００は、電源装置２２０に電力が供給されているときに、電源装置２２０の通電時の電力を利用して、記憶したデータを制御回路５０に書き込む。制御回路５０は、書き込まれたデータに基づき点灯回路２５を制御する。
【００４１】
受信回路１００は、外部機器３００から受信したデータでマイクロコンピュータ５１のメモリ５１ｂが記憶するプログラムを書き換える。制御回路５０は、書き換えられたプログラムに基づき点灯回路２５を制御する。
【００４２】
本実施の形態では、パソコンで作成したマイクロコンピュータ５１の制御プログラムを、外部機器３００により、アンテナ１１１、ＮＦＣ＿ＩＣ１１０を介してマイクロコンピュータ５１へ転送できる。外部機器３００は、無線通信用リーダーライター機能を有する。外部機器３００は汎用の無線通信用リーダーライター機能を有しても良い。これにより、容易に新たな制御プログラムを照明器具１に適用できる。
【００４３】
本実施の形態では、メモリ５１ｂが記憶するプログラムのうち、例えば点灯回路２５の出力電力設定値または出力電流設定値が書き換えられる。制御回路５０は、外部機器３００から転送されたデータに基づき、点灯回路２５の出力電力または出力電流を制御する。これにより、点灯回路２５は新たな出力で動作する。従って、点灯装置４００の外部から容易に出力電力を変更できる。
【００４４】
一般に、照明器具の調光方法には段調光タイプと連続調光タイプとがある。段調光タイプではプルスイッチまたはスライドスイッチ等が使用される。連続調光タイプでは、照明器具が照明制御システムに接続される。
【００４５】
段調光方式では、一般に明るさが数段階しか設定できない。このため、きめ細かな明るさの設定ができないことが多い。また、連続調光方式では、システムコストが高くなるおそれがある。また、連続調光方式では、一般に各器具に制御信号を送信するための配線を行う必要がある。このため、設置工事費が高くなるおそれがある。
【００４６】
ここで、照明制御システムを用いた場合、外光を利用しながら調光する制御または人感センサを用いて使用者が不在のときに消灯する制御等が実施できる。従って、このような制御により、ライフサイクルコストの削減を行い、イニシャルコストを賄うことができる。一方で、店舗のように常に明るい状態が維持される場所では、例えば店舗内の配置換えのときだけ明るさを変更するような場合がある。この場合、センサを用いた調光等によりイニシャルコストを賄うことができない。
【００４７】
これに対し、本実施の形態では、高価な照明制御システムによらずに、安価な受信回路１００を使用して調光制御が実施できる。また、データの送信部として汎用のスマートフォンまたはタブレットが使用できる。従って、特別な投資を必要とせずに外部機器３００を準備できる。
【００４８】
また、現状出荷されている照明器具には調光ができない固定出力の照明器具がある。本実施の形態では、このような安価な固定出力の照明器具１についても、プログラムを書き換えることで調光制御が実施できる。従って、照明器具１の設置時のイニシャルコストを抑えることができ、かつ、正確できめ細かな出力設定を簡単に行うことができる。
【００４９】
また、調光用照明器具では、外部調光インターフェースを利用して、アナログのＰＷＭ信号を受信して出力を変更することがある。一般に、このような調光用照明器具は高価である。これに対し、本実施の形態では、プログラムを直接書き換えるため、調光用照明器具を使用せずに調光制御が実施できる。従って、本実施の形態では、照明器具１および点灯装置４００を安価に製造できる。
【００５０】
また、図１に示されるように、点灯装置４００は安全を考慮して、筐体２１０に収納される。これにより、使用者を感電から保護できる。一方で、近距離無線では送信部と受信部が金属で隔てられると、一般に通信が困難となる。このため、筐体２１０は樹脂または非金属で形成されることが好ましい。また、筐体２１０は、受信回路１００を覆う部分または受信回路１００に近接した部分のみが、樹脂または非金属で形成されていても良い。
【００５１】
外部機器３００と受信回路１００との間で無線通信が実施されている状態で、受信回路１００と外部機器３００は非金属の部材に隔てられる。これにより無線通信を安定して実現できる。また、照明器具１を使用場所に設置した状態でもプログラムの書き換えができる。従って、照明器具１の操作性を向上でき、調光制御を容易に実施できる。
【００５２】
なお、本実施の形態では受信回路１００を収納した筐体２１０に外部機器３００をタッチまたはかざすことで通信が行われる。このため、筐体２１０のうち受信回路１００を覆う部分は、被取付部２から露出していることが好ましい。従って、図１に示されるようなスポットライトにおいて、本実施の形態は特に有効である。これに限らず、受信回路１００と外部機器３００の通信が可能であれば、照明器具１としてあらゆる構造を採用できる。
【００５３】
本実施の形態の第１の変形例として、制御回路５０は、受信回路１００により書き換えられたデータに基づき、光源４１〜４４の累積点灯時間が長いほど点灯回路２５の出力電力を増加させても良い。
【００５４】
一般に、照明器具の設置時は照明器具の汚れが少ない。しかし、照明器具の累積点灯時間が長くなると共に、照明器具が汚れ、明るさが低下することがある。この明るさの低下を補うため、導入当初は明るさをおさえ、照明器具の累積点灯時間が長くなるにつれ出力を増加させることがある。この機能は、初期照度補正機能と呼ばれる。
【００５５】
この初期照度補正機能をプログラムの書き換えにより実現しても良い。マイクロコンピュータ５１は、プログラムに従い累積点灯時間を測定する。また、マイクロコンピュータ５１は累積点灯時間に伴い出力を増加させる。本実施の形態では、このような仕様変更も容易に実施できる。
【００５６】
本実施の形態の第２の変形例として、制御回路５０は、受信回路１００により書き換えられたデータに基づき、壁スイッチの操作に応じて点灯回路２５の出力電力を変更しても良い。
【００５７】
一般に壁スイッチを予め定められた回数だけオンオフすることで、照明器具の明るさを変更する場合がある。この機能は、壁スイッチ段調光機能と呼ばれる。この壁スイッチ段調光機能をプログラムの書き換えにより実現しても良い。マイクロコンピュータ５１は、プログラムに従い、壁スイッチのオンオフに伴う照明器具１の通電、非通電を検出する。この検出結果に応じて、マイクロコンピュータ５１は照明器具１の調光率を変更する。
【００５８】
第１の変形例および第２の変形例のように、プログラムの書き換えにより、点灯回路２５の出力電力に限らず、点灯装置４００の制御仕様を変更しても良い。
【００５９】
また、実施の形態１では、マイクロコンピュータ５１のプログラムを外部機器３００からＮＦＣにより送信する。ここで、マイクロコンピュータ５１のプログラム容量は、数１０ｋｂｙｔｅに及ぶことがある。一方、一般に近距離無線のデータ転送容量は小さい。このため、大きな容量のデータを転送する場合、複数回繰り返して伝送を行うこととなる。よって、データ容量に比例して転送時間が長くなり、秒単位の時間が必要となるおそれがある。この場合、使い勝手が悪くなる。
【００６０】
本実施の形態の第３の変形例として、マイクロコンピュータ５１のプログラムを全部書き換えるのではなく、出力設定または仕様設定の部分だけを切り出して書き換えても良い。つまり、外部機器３００から送信されるデータは、マイクロコンピュータ５１のプログラムのうち光源４１〜４４の調光値を指定する一部に該当する。
【００６１】
データとして送信される調光値は、例えば点灯回路２５の出力電力設定値または出力電流設定値である。これにより、外部機器３００から送信されるデータを、１０ｋｂｙｔｅ以下とすることができる。従って、データ転送時間を大幅に短縮でき、操作性を向上できる。
【００６２】
また、本実施の形態の第４の変形例として、受信回路１００と外部機器３００との間の無線通信はＲＦＩＤ（Ｒａｄｉｏ  Ｆｒｅｑｕｅｎｃｙ  Ｉｄｅｎｔｉｆｉｅｒ）であっても良い。受信回路１００と外部機器３００との間の無線通信方式は、通信距離が１ｃｍ〜１ｍ程度の近距離無線方式であることが好ましい。
【００６３】
ＷｉＦｉ等の長距離無線方式を用いた場合、無線が受信できるすべての照明器具のプログラムが変更される。従って、特定の照明器具１のみのプログラム変更に対応できない。一方、近距離無線を使用した場合、外部機器３００を近接させた照明器具１のみのプログラムを変更できる。本実施の形態により、使用者が指定した照明器具１のみの出力設定および仕様設定等が行えるため、操作性を向上できる。
【００６４】
これらの変形は以下の実施の形態に係る点灯装置および照明器具について適宜応用することができる。なお、以下の実施の形態に係る点灯装置および照明器具については実施の形態１との共通点が多いので、実施の形態１との相違点を中心に説明する。
【００６５】
実施の形態２．
図５は、実施の形態２に係る照明器具１ａの回路ブロック図である。照明器具１ａは、光源部２００ａおよび点灯装置４００ａを備える。光源部２００ａは負荷回路部４０ａ、４０ｂを含む。負荷回路部４０ａは複数の光源４１ａ〜４４ａを有する。負荷回路部４０ｂは複数の光源４１ｂ〜４４ｂを有する。
【００６６】
点灯装置４００ａは、電源装置２２０ａと受信回路１００を備える。電源装置２２０ａは、入力フィルタ整流回路１０、高調波抑制回路２０、電流調整回路３０ａ、３１ｂおよび制御回路５０を備える。高調波抑制回路２０と電流調整回路３０ａ、３１ｂは点灯回路２５ａを構成する。電流調整回路３０ａは負荷回路部４０ａに電力を供給し、光源４１ａ〜４４ａを点灯させる。電流調整回路３０ｂは負荷回路部４０ｂに電力を供給し、光源４１ｂ〜４４ｂを点灯させる。また、制御回路５０は、電流調整回路３０ａ、３０ｂを一括して制御する。
【００６７】
負荷回路部４０ａと負荷回路部４０ｂは色温度が異なる。負荷回路部４０ａの色温度は、例えば電球色である約３０００Ｋであり、負荷回路部４０ｂの色温度は、例えば白色である約５０００Ｋである。このとき、負荷回路部４０ａと負荷回路部４０ｂの明るさを独立して変更することで、光源部２００ａ全体の色温度を変更できる。
【００６８】
例えば、約３０００Ｋと約５０００ＫのＬＥＤパッケージを同じ出力で点灯させると、約４０００Ｋの色温度の光が出力される。この状態から、どちらか一方のＬＥＤパッケージの出力を低下させると、約３０００Ｋ又は約５０００Ｋに近い色温度の光が出力される。
【００６９】
制御回路５０は、受信回路１００により書き換えられたデータに基づき、光源部２００ａの色温度を制御しても良い。プログラムの書き換えにより、電流調整回路３０ａ、３０ｂの出力電力の設定値がそれぞれ変更される。マイクロコンピュータ５１は、書き換え後のプログラムに従い点灯回路２５ａを制御する。つまり、マイクロコンピュータ５１は、受信回路１００から書き込まれたデータに基づき負荷回路部４０ａと負荷回路部４０ｂの点灯状態をそれぞれ制御する。
【００７０】
これにより、電流調整回路３０ａ、３０ｂの出力電力がそれぞれ変更される。従って、負荷回路部４０ａと負荷回路部４０ｂの明るさの比率が変更され、光源部２００ａの色温度が変更される。
【００７１】
本実施の形態では、マイクロコンピュータ５１が、電流調整回路３０ａ、３０ｂを一括して制御する。このため、近距離無線を用いたプログラムの書き換えにより、所望の色温度及び明るさを容易に実現できる。以上から、照明器具１が設置された空間におけるきめ細やかな調光を実現できる。
【００７２】
本実施の形態の変形例として、発する光の色が互いに異なる３つの負荷回路部が、照明器具１ａに設けられても良い。３つの負荷回路部はそれぞれ赤、緑、青の光を発する。この場合、３つの負荷回路部にそれぞれ電力を供給する３つの電流調整回路が高調波抑制回路２０と並列に接続される。制御回路５０のマイクロコンピュータ５１は、３つの電流調整回路を一括して制御する。
【００７３】
一般にＬＥＤ照明の光色は、光の３原色である赤、緑、青の光を混ぜることにより、自在に変更できる。制御回路５０は、受信回路１００により書き換えられたデータに基づき、光源部２００ａの光色を制御する。プログラムの書き換えにより、３つの電流調整回路の出力電力の設定値がそれぞれ変更される。マイクロコンピュータ５１は、書き換え後のプログラムに従い３つ負荷回路部の点灯状態をそれぞれ制御する。
【００７４】
これにより、３つの電流調整回路の出力電力がそれぞれ変更される。従って、３つの負荷回路部の明るさの比率が変更され、光源部２００ａの光色が変更される。
【００７５】
実施の形態３．
図６は、実施の形態３に係る照明器具１ｂの斜視図である。図７は、実施の形態３に係る光源部２００ｂの平面図である。照明器具１ｂは筐体２１０、点灯装置４００ａ、光源部２００ｂおよび配光レンズ２３０を備える。配光レンズ２３０は光源部２００ｂを覆う。配光レンズ２３０は、光源部２００ｂの配光を制御する。
【００７６】
光源部２００ｂは、実施の形態２と同様に負荷回路部４０ａ、４０ｂを備える。光源部２００ｂにおいて、複数の光源４１ａ〜４４ａと、複数の光源４１ｂ〜４４ｂの配置が実施の形態２と異なる。なお、負荷回路部４０ａ、４０ｂの色温度は同じであっても良い。
【００７７】
光源部２００ｂの基板上において、複数の光源４１ａ〜４４ａは円周上に配置される。また、複数の光源４１ｂ〜４４ｂは複数の光源４１ａ〜４４ａよりも内側で、円周上に配置される。光源部２００ｂでは、複数の光源４１ａ〜４４ａと、複数の光源４１ｂ〜４４ｂが２重円を形成する。
【００７８】
配光レンズ２３０は、外側の円上に配置された光源４１ａ〜４４ａを明るくするほど配光角が広く、内側の円上に配置された光源４１ｂ〜４４ｂを明るくするほど配光角が狭くなるように設計されている。
【００７９】
制御回路５０は、受信回路１００により書き換えられたデータに基づき、光源部２００ｂの配光を制御しても良い。プログラムの書き換えにより、電流調整回路３０ａ、３０ｂの出力電力の設定値がそれぞれ変更される。マイクロコンピュータ５１は、書き換え後のプログラムに従い点灯回路２５ａを制御する。つまり、マイクロコンピュータ５１は、受信回路１００から書き込まれたデータに基づき負荷回路部４０ａと負荷回路部４０ｂの点灯状態をそれぞれ制御する。
【００８０】
これにより、電流調整回路３０ａ、３０ｂの出力電力がそれぞれ変更される。従って、負荷回路部４０ａと負荷回路部４０ｂの明るさの比率が変更され、配光角が変更される。
【００８１】
実施の形態２と同様に、本実施の形態ではマイクロコンピュータ５１により電流調整回路３０ａ、３０ｂを独立して制御できる。負荷回路部４０ａと負荷回路部４０ｂの明るさをそれぞれ制御して、所望の配光角を実現できる。また、近距離無線を用いたプログラムの書き換えにより、所望の配光角を容易に実現できる。以上から、照明器具１が設置された空間におけるきめ細やかな調光を実現できる。
【００８２】
本実施の形態の変形例として、光源部２００ｂでは、複数の光源が３重以上の円を形成しても良い。この場合も、複数の円上に設けられた光源の点灯状態を、マイクロコンピュータ５１がそれぞれ制御することで、より広い範囲で配光角を変更できる。
【００８３】
また、光源部２００ｂにおける複数の光源の配置は、円状に限らない。光源部２００ｂは、第１光源と、第１光源よりも外側に設けられた第２光源とを含んでいれば良い。この場合、マイクロコンピュータ５１は、受信回路１００から書き込まれたデータに基づき第１光源と第２光源の点灯状態をそれぞれ制御することで、光源部２００ｂの配光を制御できる。
【００８４】
各実施の形態で説明した技術的特徴は適宜に組み合わせて用いてもよい。
【符号の説明】
【００８５】
１、１ａ、１ｂ  照明器具、２  被取付部、１０  入力フィルタ整流回路、１１  入力フィルタ回路、１２〜１５  ダイオード、２０  高調波抑制回路、２１  インダクタ、２２  ダイオード、２３  平滑コンデンサ、２４  スイッチング素子、２５、２５ａ  点灯回路、３０、３０ａ、３０ｂ  電流調整回路、３１、３１ａ、３１ｂ  スイッチング素子、３２、３２ａ、３２ｂ  インダクタ、３３、３３ａ、３３ｂ  コンデンサ、３４、３４ａ、３４ｂ  ダイオード、３５、３５ａ、３５ｂ  電流検出抵抗、４０、４０ａ、４０ｂ  負荷回路部、４１、４１ａ、４１ｂ、４２、４２ａ、４２ｂ、４３、４３ａ、４３ｂ、４４、４４ａ、４４ｂ  光源、５０  制御回路、５１  マイクロコンピュータ、５１ａ  処理装置、５１ｂ  メモリ、５１ｃ  書き込み端子、５２  駆動回路、５３  制御電源回路、１００  受信回路、１１０ａ  電源生成回路、１１０ｂ  デジタル出力回路、１１０ｃ  メモリ、１１１  アンテナ、１１２  ケーブル、１１３  パッケージ、２００、２００ａ、２００ｂ  光源部、２１０  筐体、２２０、２２０ａ  電源装置、２３０  配光レンズ、３００  外部機器、４００、４００ａ  点灯装置、ＡＣ  外部電源
【図１】
2020155257.tif 000003
【図２】
2020155257.tif 000004
【図３】
2020155257.tif 000005
【図４】
2020155257.tif 000006
【図５】
2020155257.tif 000007
【図６】
2020155257.tif 000008
【図７】
2020155257.tif 000009